(57)【要約】【課題】  移動、保管、及び組み立てが容易に行え、災害時や緊急時の船舶、倉庫、又は公共建築施設等での居住環境を良好に保つ折り畳み型個室構成装置を提供すること。【解決手段】  収納時に複数に折り畳まれ、内面が断熱材で形成されたトランク部１０と、トランク部１０内に収納され、設置されたトランク部１０の周囲を囲う遮蔽シート１７と、トランク部１０内に収納され、組み立て式の支柱１４により支持される棚板１２とを備えたことをことにより、移動、保管、及び組み立てを容易に行え、災害時や緊急時の船舶、倉庫、又は公共建築施設等での居住環境を良好に保つことを可能にした。【選択図】図２
2006307566.tif 000002
【特許請求の範囲】
【請求項１】
折り畳み可能に構成され、内面が断熱材で形成された床材として機能するトランク部と、
前記トランク部内に収納され、開放された該トランク部による床の周囲を囲う仕切り部材と、
前記トランク部内に収納され、該トランク部による床上に組み立てられる組み立て式の支柱及び該支柱に支持される棚板を備えたことを特徴とする折り畳み型個室構成体。  
【請求項２】
前記トランク部は磁力、又は係留部材により設置面へ固定されることを特徴とする請求項１に記載の折り畳み型個室構成体。
【請求項３】
前記トランク部には、車輪が備えられていることを特徴とする請求項１に記載の折り畳み型個室構成体。
【請求項４】
前記仕切り部材は、設置場所へ設置された後の前記トランク部端部へ立設された柱へ面ファスナーにより固定されることを特徴とする請求項１に記載の折り畳み型個室構成体。
【請求項５】
前記支柱は、該棚板の上昇移動に連動して倒伏位置から起立位置へ移動させる起倒機構により組み立てられて該棚板を支持することを特徴とする請求項１に記載の折り畳み型個室構成体。
【発明の詳細な説明】
【技術分野】
【０００１】
本発明は、災害時や緊急時に船舶、倉庫、又は公共建築施設等で簡易居住設備として使用される折り畳み型個室構成体に関するものである。
【背景技術】
【０００２】
災害時や緊急時などに住民を船舶、倉庫、又は公共建築施設等へ避難させる際、災害や緊急事態の継続、復旧の遅れなどから避難期間が長期に及ぶ場合がある。このような場合、広い室内に多数の避難者が長期間居住するので、居住性やプライバシーの確保が必要となる。また、本来居住用の施設でないため、床面が硬く、低温になりやすいなど、長期の居住には負担となる要因が多かった。このような問題を解消するため、従来衝立や断熱マットなど既存の資材を利用してきたが、完全とは言えず、パイプを組み立ててカーテンで覆う組み立て式の個室構成装置や、壁を折り畳んで収納する折り畳み式簡易住居モジュールなどが提案されている (例えば、特許文献１又は特許文献２参照。)。
【特許文献１】特開２００１−２５４５２２号公報
【特許文献２】特開平９−４０６０号公報
【発明の開示】
【発明が解決しようとする課題】
【０００３】
しかし、特許文献１にあるような個室構成装置では、組み立てに手間がかかり、解体後の保管も個々の部材を紛失しないように管理しなくてはならないため、災害時や緊急時の使用には適さない。また、特許文献２にあるような簡易住居モジュールでは、設備が大きくなり、保管や移動に手間がかかるため、同じく災害時や緊急時の使用には適さない。
【０００４】
本発明は、このような問題に対して考案されたもので、移動、保管、及び組み立てが容易に行え、災害時や緊急時の船舶、倉庫、又は公共建築施設等での居住環境を良好に保つ折り畳み型個室構成体を提供することを目的とする。
【課題を解決するための手段】
【０００５】
本発明は前記目的を達成するために、折り畳み可能に構成され、内面が断熱材で形成された床材として機能するトランク部と、前記トランク部内に収納され、開放された該トランク部による床の周囲を囲う仕切り部材と、前記トランク部内に収納され、該トランク部による床上に組み立てられる組み立て式の支柱及び該支柱に支持される棚板を備えたことを特徴とする。
【０００６】
また、トランク部は磁力、又は係留部材により設置面へ固定され、車輪が備えられている。
【０００７】
本発明によれば、折り畳まれて収納されていた折り畳み型個室構成体のトランク部は、車輪により設置場所まで移動される。設置場所でトランク部が開かれ、マグネットによる磁力、又はフック、ワイヤー、チェーン、固定ピン、吸盤等の係留部材により設置場所の床面へ固定される。固定後、内部に収納された仕切り部材により周囲が覆われる。仕切り部材で覆われた内部では、同じくトランク部内部に収納された支柱を立て、簡易の寝台、又は荷物棚となる棚板を設置する。
【０００８】
これらにより、移動、保管、及び組み立てが容易に行え、内面が断熱材で形成されたトランク部が床材となり、保温、防音、クッション性を確保する。また、仕切り部材によって視界を遮ることでプライバシーが確保され、防音性も高まり、災害時や緊急時の船舶、倉庫、又は公共建築施設等での居住環境を良好に保つことが可能となる。
【発明の効果】
【０００９】
以上説明したように、本発明の折り畳み型個室構成体によれば、移動、保管、及び組み立てを容易に行え、災害時や緊急時の船舶、倉庫、又は公共建築施設等での居住環境を良好に保つことが可能となる。
【発明を実施するための最良の形態】
【００１０】
以下添付図面に従って本発明に係る折り畳み型個室構成体の好ましい実施の形態について詳説する。
【００１１】
図１は折り畳み型個室構成体の設置場所への移動を表した図、図２は本発明の第１の実施の形態に係る折り畳み型個室構成体の組み立て手順を表した斜視図である。
【００１２】
図１に示すように、保管場所より搬出された折り畳み型個室構成体１（以下、折り畳み個室１）は、トランク部１０へ取り付けられた車輪フレーム２に設けられている車輪１１により、作業者Ｗによって設置場所へ移動される。車輪フレーム２は、トランク部１０に形成された溝１０Ａへ、車輪フレーム２の内面に形成されている突起３をはめ合せてトランク部１０へ取り付けられる。設置場所まで移動されたトランク部１０は、車輪フレーム２を外し、外面を下にして設置場所に開かれ、床材として機能する。
【００１３】
設置場所に開かれたトランク部１０内部には、図２（ａ）に示すように、棚板１２、柱１３、及び支柱１４が収納されている。この他、トランク部１０内部には毛布等の日用品１５、及び折り畳まれた遮蔽シート１７も収納される。
【００１４】
トランク部１０内面には、断熱材２０が形成され、設置面からの冷気や振動を遮り保温、防音の効果を有する。設置場所に開かれたトランク部１０の端部には、取り付け穴１６が複数個設けられており、柱１３、支柱１４等を組み立てる際に用いられる。
【００１５】
棚板１２は、木製、又は金属製の軽量で強固な板材であって、表面にはクッション部材が貼られており、簡易の寝台、又は荷物棚として利用される。棚板１２は組み立てられた金属製のパイプ等で製作された支柱１４により支持される。
【００１６】
柱１３は、金属製のパイプ等で製作され、設置場所に開かれたトランク部１０の取り付け穴１６へ立てられる。柱１３には、視界を遮るための仕切り部材として遮蔽シート１７が取り付けられる。遮蔽シート１７へは、名札１８が取り付けられ、折り畳み個室１を利用する者の氏名、所属等が記載される。
【００１７】
このような構成により、本発明に関わる折り畳み個室１は移動、保管、及び組み立てを容易に行え、災害時や緊急時の船舶、倉庫、又は公共建築施設等での居住環境を良好に保つことが可能となる。
【００１８】
次に、本発明に係る折り畳み個室１の第２の実施の形態を説明する。図４は本発明の第２の実施の形態に係る折り畳み型個室構成体の組み立て手順を表した斜視図、図５は棚板の組み立て方法を示した側面図である。
【００１９】
図１に示すように、折り畳み個室１は、トランク部３０へ取り付けられた車輪フレーム２に設けられている車輪１１により、作業者Ｗによって設置場所まで移動される。車輪フレーム２を外し、設置場所へ外面を下にして開かれたトランク部３０の内面には、図４（ａ）に示すように、断熱材２０が形成され、トランク部３０の内部には、柱１３、棚板３１、毛布等の日用品１５、及び遮蔽シート１７が収納されている。
【００２０】
棚板３１は、図５に示すように、トランク部３０へ取り付けられた支持棒３２と、棚板３１に設けられた支持棒３３とにより支持される。支持棒３２は、棚板３１の上昇に伴い、棚板３１に形成された溝３５と、支持棒３２に形成された溝３６との間をピン３４が移動して垂直位置まで起き上がる。支持棒３２が起き上がり、棚板３１が上限まで上昇したところで、支持棒３２が取り付けられた棚板３１の面とは反対側の面に設けられた支持棒３３を鉛直方向へ下げ、支持棒３２と支持棒３３とにより棚板３１が支持される。
【００２１】
柱１３は、トランク部３０の取り付け穴１６へ立てられ、視界を遮るための遮蔽シート１７が取り付けられる。遮蔽シート１７へは、名札１８が取り付けられ、折り畳み個室１を利用する者の氏名、所属等が記載される。
【００２２】
次に、本発明に係る折り畳み個室１の第３の実施の形態を説明する。図６は本発明の第３の実施の形態に係る折り畳み型個室構成体の組み立て手順を表した斜視図である。
【００２３】
図１に示すように、折り畳み個室１は、トランク部４０へ取り付けられた車輪フレーム２に設けられている車輪１１により、作業者Ｗによって設置場所まで移動される。車輪フレーム２を外し、設置場所へ外面を下にして開かれたトランク部３０の内面には、図４（ａ）に示すように、断熱材２０が形成され、トランク部４０の内部には、柱１３、壁材４１が収納されている。この他、トランク部４０の内部には毛布等の日用品１５、棚板３１も収納されている。
【００２４】
壁材４１は、トランク部４０へ立てられた柱１３に面ファスナ４２を巻きつけて複数枚取り付けられることにより、仕切り部材として周囲からの視界を遮る。壁材４１へは、名札１８が取り付けられ、折り畳み個室１を利用する者の氏名、所属等が記載される。
【００２５】
次に、折り畳み個室１の作用について説明する。始めに第１の実施の形態に係る折り畳み個室１の作用について説明する。図１に示すように、保管場所より搬出された折り畳み個室１は、トランク部１０へ取り付けられた車輪フレーム２に設けられている車輪１１を利用して設置場所まで移動される。
【００２６】
車輪フレーム２を外し、設置場所に開かれたトランク部１０の内部に収納された柱１３、及び支柱１４は、図２（ｂ）に示すように、柱１３を４つの角に形成された取り付け穴１６へ立て、残りの取り付け穴１６へ支柱１４を２つが対向するように立てる。対抗するように立てられた支柱１４では棚板１２が支持され、寝台、又は荷物棚として利用される。
【００２７】
棚板１２、柱１３、及び支柱１４が組み立てられた折り畳み個室１の周囲は、図２（ｃ）に示すように柱１３へ取り付けられた遮蔽シート１７により覆われる。遮蔽シート１７に取り付けられた名札１８には、該折り畳み個室１の利用者の名前、所属等が記載される。
【００２８】
遮蔽シート１７で覆われた折り畳み個室１は、複数の固定部１９により設置面へ固定される。固定部１９は、例えば折り畳み個室１の設置場所が船舶や倉庫等であり、設置面が金属製である場合、レバーの操作により磁石の磁力をＯＮ、ＯＦＦするマグネットクランプ等を用いて折り畳み個室１を固定する。また、折り畳み個室１の設置場所が体育館など公共建築施設等であり、設置面が木製、コンクリート製、又は係留用の穴等が形成されている場合は、固定部１９に吸盤、フック、ワイヤー、チェーン等の係留部材を用いる。更に、屋外である場合には、固定部１９として固定ピンを地中に埋め込み、折り畳み個室１の固定を行なう方法でもよい。
【００２９】
固定された折り畳み個室１は、図３に示すように、船舶、倉庫、又は公共建築施設等の設置場所内に複数並べて設置される。
【００３０】
次に第２の実施の形態に係る折り畳み個室１の作用について説明する。図１に示すように、保管場所より搬出された折り畳み個室１は、トランク部３０へ取り付けられた車輪フレーム２に設けられている車輪１１を利用して設置場所まで移動される。
【００３１】
トランク部３０は、車輪フレーム２を外して設置場所で開かれ、トランク部３０の内部に収納された柱１３が図４（ｂ）に示すように、４つの角に形成された取り付け穴１６へ立てられる。
【００３２】
棚板３１は、棚板３１を上昇させて垂直位置まで立てた支持棒３２と、支持棒３３により支持され、寝台、又は荷物棚として利用される。
【００３３】
棚板３１と柱１３が組み立てられた折り畳み個室１の周囲は、図４（ｃ）に示すように柱１３へ取り付けられた遮蔽シート１７により覆われ、複数の固定部１９により設置面へ固定される。固定された折り畳み個室１は、遮蔽シート１７に名札１８が取り付けられ、図３に示すように、船舶、倉庫、又は公共建築施設等の設置場所内に複数並べて設置される。
【００３４】
次に第３の実施の形態に係る折り畳み個室１の作用について説明する。図１に示すように、保管場所より搬出された折り畳み個室１は、トランク部４０へ取り付けられた車輪フレーム２に設けられている車輪１１を利用して設置場所まで移動される。
【００３５】
トランク部４０は、車輪フレーム２を外して設置場所で開かれ、トランク部４０の内部に収納された柱１３が、図６（ａ）に示すように、４つの角に形成された取り付け穴１６へ立てられる。
【００３６】
柱１３へは、複数枚の壁材４１が面ファスナ４２により取り付けられる。壁材４１の取り付け後、棚板３１を上昇させて支持棒３２を垂直位置まで立て、支持棒３２とストッパ３３とにより棚板３１を支持する。
【００３７】
棚板３１と壁材４１が組み立てられた折り畳み個室１は、複数の取り付け溝４３へはめられた固定部１９により設置面へ固定される。固定された折り畳み個室１は、壁材４１に名札１８が取り付けられ、図３に示すように、船舶、倉庫、又は公共建築施設等の設置場所内に複数並べて設置される。
【００３８】
以上説明したように、本発明の折り畳み個室１によれば、災害時や緊急時において、移動、保管、及び組み立てが容易に行え、内面が断熱材で形成されたトランク部が床材となり、保温、防音、クッション性を確保される。更に、遮蔽シート１７や壁材４１によって視界を遮ることでプライバシーが確保され、防音性も高まり、避難をした船舶、倉庫、又は公共建築施設等での居住環境を良好に保つことが可能となる。
【００３９】
なお、本実施の形態においては、折り畳み個室１は天井をもたない構造となっているが、屋根用部材をトランク部１０、３０、４０内部に収納し、柱１３を利用して屋根用部材を上部に取り付ける形態でもよい。
【００４０】
また、本実施の形態では壁材４１は面ファスナ４１により柱１３へ取り付けられているが、レールが形成された柱を四方へ立てて壁材をレールにはめる、穴の開いた壁材を柱へ通す、または柱に形成されたフックへ壁材をはめる等の方法により取り付けてもよい。
【図面の簡単な説明】
【００４１】
【図１】折り畳み型個室構成体の設置場所への移動を表した図。
【図２】第１の実施の形態に係る折り畳み型個室構成装を表した斜視図。
【図３】折り畳み型個室構成装の設置状況を表した斜視図。
【図４】第２の実施の形態に係る折り畳み型個室構成装を表した斜視図。
【図５】棚板の組み立て方を表した側面図。
【図６】第３の実施の形態に係る折り畳み型個室構成装を表した斜視図。
【符号の説明】
【００４２】
１…折り畳み型個室構成体（折り畳み個室），１０、３０、４０…トランク部、１１…車輪，１２、３１…棚板，１３…柱，１５…日用品，１６…取り付け穴，１７…遮蔽シート，１９…固定部，２０…断熱材，４１…壁材，４２…面ファスナ
【図１】
2006307566.tif 000003
【図２】
2006307566.tif 000004
【図３】
2006307566.tif 000005
【図４】
2006307566.tif 000006
【図５】
2006307566.tif 000007
【図６】
2006307566.tif 000008
【手続補正書】
【提出日】平成17年6月13日(2005.6.13)
【手続補正１】
【補正対象書類名】明細書
【補正対象項目名】００２３
【補正方法】変更
【補正の内容】
【００２３】
図１に示すように、折り畳み個室１は、トランク部４０へ取り付けられた車輪フレーム２に設けられている車輪１１により、作業者Ｗによって設置場所まで移動される。車輪フレーム２を外し、設置場所へ外面を下にして開かれたトランク部３０の内面には、図６（ａ）に示すように、断熱材２０が形成され、トランク部４０の内部には、柱１３、壁材４１が収納されている。この他、トランク部４０の内部には毛布等の日用品１５、棚板３１も収納されている。